(57)【特許請求の範囲】
【請求項１】
吸気口と送風口とを繋ぐ通気路を有するケーシングと、
前記通気路内に設けられる熱交換器と、
前記熱交換器より送風口側の前記通気路内に設けられるクロスフローファンと、
前記クロスフローファンを回転させるファンモータとを具備し、
前記通気路の側壁と前記クロスフローファンの端板との間には、前記クロスフローファンを前記通気路に余裕を持って装填したことで形成された遊間が存在し、
前記遊間には、これを塞ぐスペーサが設けられている、空気調和機。
【請求項２】
請求項１に記載の空気調和機において、
前記スペーサには、そのスペーサ側に面するクロスフローファンの端板近傍から送風口へ延びる導風板が設けられている、空気調和機。
【請求項３】
請求項１または２に記載の空気調和機において、
前記スペーサは、前記通気路内に固定状態で支持されており、
前記クロスフローファンは、前記スペーサに対してその端板近傍で回動自在に軸支されている、空気調和機。
【発明の詳細な説明】
【技術分野】
【０００１】
本発明は、室内の暖房や乾燥等を行う空気調和機、特に、クロスフローファンを備えた空気調和機に関するものである。
【背景技術】
【０００２】
クロスフローファンを備えた従来の空気調和機は、熱交換器の加熱領域を有効に利用すべく、クロスフローファンと熱交換器との両端相互間の距離が略同一に設定されているものが一般的である。
そして、それらクロスフローファンおよび熱交換器を収容するケーシングの大きさは、空気調和機本体の全体サイズをできるだけコンパクトにすべく、上記クロスフローファンや熱交換器等の周囲に設けられる隙間が最小限になるように形成されている（例えば、特許文献１および２参照）。
【０００３】
従って、このものでは、能力の異なる複数種類の空気調和機を製造する場合、それぞれの能力に合わせた幅のクロスフローファンや熱交換器とともに、それらクロスフローファンや熱交換器の幅に合わせて形成された大きさの異なるケーシングが用いられるため、取り扱う部品の種類が多くなり、それら部品の管理や空気調和機本体の生産面での負担が大きかった。
【０００４】
そこで、能力の異なる空気調和機間での部品の共通化を図るべく、熱交換器やケーシング等の部品には、空気調和機の能力にかかわらず大能力に対応したものを採用し、クロスフローファンには、大能力の空気調和機を製造する場合は幅の長いもの、小能力の空気調和機を製造する場合は幅の短いものを採用することで、能力の異なる空気調和機を提供する方法が考えられる。
【０００５】
図６は、上記部品の共通化を図った空気調和機として例示する浴室暖房機６の構成概略図であり、熱源機（図示しない）からの温水が流れる熱交換器７と、該熱交換器７を介して浴室内の空気を循環させるクロスフローファン８と、該クロスフローファン８の駆動源としてのファンモータ９とを備えている。
浴室暖房機６のケーシング６００には、吸気口６１および送風口６２が設けられており、該ケーシング６００の内部には、それら吸気口６１と送風口６２とを繋ぐ通気路６３が形成されている。
【０００６】
熱交換器７は、通気路６３の吸気口６１近傍に配設されており、通気路６３の側壁６４，６４に対して固定状態で支持されている。尚、熱交換器７の両端相互間の距離（以下、「熱交換器７の幅」という）Ｗ７は、寒冷地や比較的大きい浴室に適した能力（以下、「大暖房能力」という）を発揮し得る寸法に設定されている。
【０００７】
クロスフローファン８は、通気路６３の送風口６２近傍に配設されており、その一端側の軸部８２が上記一方の側壁６４のファン支持部６４０に固定されるファンモータ９に連結され、他端側の軸部８２が、他方の側壁６４のファン支持部６４０に対して回動自在に軸支されている。
尚、クロスフローファン８の端板８１，８１相互間の距離（以下、「クロスフローファン８の幅」という）Ｗ８は、比較的小さい浴室に適した能力（以下、「小暖房能力」という）を発揮し得る寸法に設定されている。
【０００８】
また、ファン支持部６４０，６４０相互間の距離Ｗ６は、上記熱交換器７の幅Ｗ７と略同一に設定されている。
上記小暖房能力に対応したクロスフローファン８の一方の端板８１とその端板８１に対向する側壁６４のファン支持部６４０との間には、前記クロスフローファン８を通気路６３に余裕を持って装填したことで、比較的大きな幅の遊間６３０が形成されている。
【０００９】
即ち、ファン支持部６４０，６４０相互間には、上記クロスフローファン８より幅の広い大暖房能力を発揮し得る寸法のクロスフローファンが組み込み可能である。
このものでは、熱交換器７の幅Ｗ７が大暖房能力に対応した寸法に設定されているとともに、ファン支持部６４０，６４０相互間が上記大暖房能力に対応したクロスフローファンを組み込み可能な距離に設定されているから、上記クロスフローファン８以外の部品は、大暖房能力に対応した浴室暖房機と共通のものを採用することができる。
【特許文献１】特開平１１−０５１４５７号公報（第５図）
【特許文献２】特開２０００−１６１６９２号公報（第１図）
【発明の開示】
【発明が解決しようとする課題】
【００１０】
しかしながら、上記浴室暖房機６では、クロスフローファン８の端板８１と側壁６４との間に比較的大きな遊間６３０が形成されているから、クロスフローファン８から送出された空気が上記遊間６３０内へ逆流し、風速が低下するおそれがあった。
本発明は係る点に鑑みてなされたもので、クロスフローファン８の端板８１と側壁６４との間に比較的大きな遊間６３０が形成されている場合でも、運転時の風速の安定化を図ることを課題とする。
【課題を解決するための手段】
【００１１】
上記課題を解決するために、請求項１に係る発明の空気調和機は、
『吸気口と送風口とを繋ぐ通気路を有するケーシングと、
前記通気路内に設けられる熱交換器と、
前記熱交換器より送風口側の前記通気路内に設けられるクロスフローファンと、
前記クロスフローファンを回転させるファンモータとを具備し、
前記通気路の側壁と前記クロスフローファンの端板との間には、前記クロスフローファンを前記通気路に余裕を持って装填したことで形成された遊間が存在し、
前記遊間には、これを塞ぐスペーサが設けられている』ものである。
このものでは、クロスフローファンの端板と通気路の側壁との間に形成された遊間に、その遊間を塞ぐスペーサが設けられているから、クロスフローファンから送出された空気は上記遊間内へ逆流せず、その下流方向へスムーズに流れる。また、遊間内での乱流の発生も抑制される。
さらに、室内の空気が熱交換器を介さずに、上記遊間を通ってクロスフローファンの上流側へ吸い込まれるのも防止される。これによって、クロスフローファンから送出される空気の熱量が安定する。
【００１２】
請求項２に係る発明の空気調和機は、上記請求項１において、
『前記スペーサには、そのスペーサ側に面するクロスフローファンの端板近傍から送風口へ延びる導風板が設けられている』ものである。
このものでは、スペーサに設けられた上記導風板によって、クロスフローファンから送出された空気が送風口へ導かれるから、クロスフローファンから送風口への空気の流れが安定する。また、クロスフローファンの遊間側近傍での乱流の発生も抑制される。
【００１３】
請求項３に係る発明の空気調和機は、上記請求項１または２において、
『前記スペーサは、前記通気路内に固定状態で支持されており、
前記クロスフローファンは、前記スペーサに対してその端板近傍で回動自在に軸支されている』ものである。
このものでは、クロスフローファンは、その遊間側の端板近傍が通気路内に固定状態で支持されたスペーサによって軸支されているから、遊間内に延びる軸部の軸端をファン支持部で直接的に支持する上記従来のものに比べて、クロスフローファンの回転が安定する。
【発明の効果】
【００１４】
本発明は、上記構成であるから次の特有の効果を有する。
請求項１に係る発明では、上記遊間にスペーサを設けたことによって、クロスフローファンから送出された空気は、遊間内へ逆流することなくその下流方向へスムーズに流れるから、風速が安定する。
また、遊間内での乱流が抑制されることによって、その乱流を起因とする騒音も抑制されるから、空気調和機全体の運転音も低減できる。
さらに、室内の空気が上記遊間を通ってクロスフローファンの上流側へ吸い込まれるのを防止することで、クロスフローファンから安定した熱量の空気が室内へ供給されるから、暖房効率も向上する。
【００１５】
請求項２に係る発明では、スペーサに導風板を設けたことによって、クロスフローファンから送風口への空気の流れが安定するから、風速が一層安定する。
また、クロスフローファンの遊間側近傍での乱流の発生が抑制されることによって、その乱流を起因とする騒音も抑制されるから、空気調和機全体の運転音も一層低減できる。
【００１６】
請求項３に係る発明では、クロスフローファンをその端板近傍で軸支することによって、運転時のクロスフローファンの回転が安定するから、上記請求項１または２の効果に加えて、空気調和機全体の異常な振動の発生も抑制できる。
【発明を実施するための最良の形態】
【００１７】
次に、上記した本発明を実施するための最良の形態について、添付図面を参照しながら詳述する。
図１は、本発明の第１実施形態に係る空気調和機として例示する浴室暖房機１の構成概略図である。以下、各部の詳細を説明する。
図１に示すように、浴室暖房機１は、後述する熱交換器２やクロスフローファン３等を収容するケーシング１０と、熱源機（図示しない）からの温水が流れる熱交換器２と、該熱交換器２を介して浴室内の空気を循環させるクロスフローファン３と、該クロスフローファン３に連結されるファンモータ４とを備えている。
【００１８】
ケーシング１０には、浴室内空気の取入口としての吸気口１１と、ケーシング１０内へ取り入れられた浴室内空気の排出口としての送風口１２とが設けられており、ケーシング１０の内部には、それら吸気口１１および送風口１２の相互を繋ぐ通気路１３が形成されている。また、通気路１３の側壁１４，１４の送風口１２近傍には、上記クロスフローファン３を支持するファン支持部１４０ａ，１４０ｂが設けられており、それらファン支持部１４０ａ，１４０ｂ相互間の距離Ｗ１は、後述する熱交換器２の幅Ｗ２と略同一寸法（例えば、４５０ｍｍ）に設定されている。
【００１９】
尚、上記ファン支持部１４０ａ，１４０ｂ相互間の距離Ｗ１は、寒冷地や比較的大きな浴室（例えば、室内縦横寸法が１６００ｍｍ×２４００ｍｍのユニットバス）に適した大暖房能力のクロスフローファン（図示しない）が収容可能な寸法であり、ファン支持部１４０ａ，１４０ｂは、上記大暖房能力のクロスフローファンを回動自在な状態で軸支できる。
【００２０】
熱交換器２は、上記通気路１３内の吸気口１１近傍に配設されており、その両端が通気路１３の側壁１４，１４に対して固定状態で支持されている。
上記熱交換器２の両端相互の距離（以下、「熱交換器２の幅」という）Ｗ２は、寒冷地や比較的大きな浴室（例えば、室内縦横寸法が１６００ｍｍ×２４００ｍｍのユニットバス）に対しても十分な熱交換能力を発揮する寸法（例えば、４５０ｍｍ）に設定されている。
【００２１】
クロスフローファン３は、通気路１３内の上記熱交換器２より送風口１２側の位置に配設されており、その一端側の軸部３２ａが、ファン支持部１４０ａに固定されるファンモータ４に連結され、他端側の軸部３２ｂが、ファン支持部１４０ｂに固定される後述するスペーサ５に連結されている。
【００２２】
上記クロスフローファン３の複数の羽根片３０をその両端で挟持する端板３１ａ，３１ｂ相互の距離（以下、「クロスフローファン３の幅」という）Ｗ３は、比較的小さい浴室（例えば、室内縦横寸法が１６００ｍｍ×１６００ｍｍのユニットバス）に適した小暖房能力となる寸法（例えば、４００ｍｍ）に設定されている。また、クロスフローファン３は、その一端側の端板３１ａがファンモータ４側のファン支持部１４０ａに近接した状態、即ち、ファンモータ４寄りに配設されている。従って、他端側の端板３１ｂとファン支持部１４０ｂとの間には、所定幅（例えば、５０ｍｍ）の遊間１３０が形成されている。尚、ファンモータ４側のファン支持部１４０ａは、上記端板３１ａの周縁全体を覆っている。
【００２３】
上記遊間１３０には、一端側がファン支持部１４０ｂにねじ止め固定され、他端側がクロスフローファン３の軸部３２ｂを回動自在な状態で支持するスペーサ５が設けられており、その全体を覆っている。
スペーサ５のクロスフローファン３側には、クロスフローファン３の端板３１ｂの周縁全体を覆うエンドカバー５１が形成されており、その中央に設けられた軸受３５が、クロスフローファン３の軸部３２ｂの根元近傍を支持している。
【００２４】
上記エンドカバー５１は、スペーサ５のベース部５２に対して、クロスフローファン３の軸線方向に摺動可能な状態で連結されている。このため、本浴室暖房機１を製造する際には、エンドカバー５１をベース部５２側へ摺動させてファン支持部１４０ａとエンドカバー５１との距離を大きくしておけば、ケーシング１０内にクロスフローファン３を組み込む作業が容易である。
【００２５】
また、エンドカバー５１には、通気路１３を上記端板３１ｂ近傍からケーシング１０の送風口１２までの範囲においてクロスフローファン３側と遊間１３０側とに分断する導風板５１４が形成されており、この導風板５１４によって区切られたクロスフローファン３側の送風通路１３ａは、クロスフローファン３の幅Ｗ３と略同一幅に設定されている。
【００２６】
このものでは、クロスフローファン３の端板３１ｂとファン支持部１４０ｂとの間に形成される遊間１３０が、スペーサ５によってその全体を覆うように塞がれているから、クロスフローファン３から送出された空気は、遊間１３０下方からケーシング１０内へ逆流せずに、そのままクロスフローファン３の下流方向へスムーズに流れる。これにより、クロスフローファン３の幅Ｗ３の範囲内における風速が安定するし、クロスフローファン３から送出される風量も安定する。
【００２７】
また、上記遊間１３０をスペーサ５で塞ぐことで、クロスフローファン３から送出された空気が遊間１３０内へ流れ込むことによって発生する遊間１３０内での乱流も抑制されるから、その乱流を起因とする風切り音や各パーツ類の振動音等の騒音も抑制される。これにより、浴室暖房機１全体の運転音も低減できる。
【００２８】
さらに、浴室内の空気が熱交換器２を介さずに、遊間１３０を通ってクロスフローファン３の上流側へ吸い込まれ、再びクロスフローファン３から浴室内へ送出されるのも防止されるから、クロスフローファン３から安定した熱量の空気が浴室内へ供給される。
これにより、浴室暖房機１の暖房効率が向上する。
【００２９】
また、上記スペーサ５には、通気路１３を上記端板３１ｂ近傍からケーシング１０の送風口１２までの範囲において左右に分断する導風板５１４が設けられているから、クロスフローファン３から送出された空気が送風口１２側へ導かれ、クロスフローファン３の幅Ｗ３と略同一幅の送風通路１３ａ内で空気の流れが安定する。
これにより、クロスフローファン３から送出される風速および風量が一層安定する。
【００３０】
さらに、導風板５１４によって、クロスフローファン３の遊間１３０側近傍での乱流の発生が抑制されるから、その乱流を起因とする風切り音や各パーツ類の振動音等の騒音も抑制される。
これにより、浴室暖房機１全体の運転音も一層低減できる。
【００３１】
一方、クロスフローファン３の遊間１３０側の軸部３２ｂは、ファン支持部１４０ｂに固定されたスペーサ５に対してその根元近傍で支持されているから、軸部３２ｂのたわみが比較的小さく、回転時のクロスフローファン３の振動が抑制される。従って、クロスフローファン３の回転が安定し、浴室暖房機１全体の異常な振動も発生しにくい。
【００３２】
尚、空気調和機において、暖房能力の異なる複数種類の空気調和機を製造する場合、生産面および管理面での効率向上を図るべく、上記複数種類の空気調和機の間での部品の共通化が望まれているが、上記実施の形態では、ファン支持部１４０ａ，１４０ｂ相互の空間には、寒冷地や比較的大きな浴室に適した大暖房能力に対応したクロスフローファンが組み付け可能であるから、図２に示すように、上記小暖房能力に対応したクロスフローファン３およびスペーサ５に代えて、大暖房能力に対応したクロスフローファン３Ａを組み付ければ、大暖房能力の浴室暖房機１Ａを製造することが可能である。即ち、小暖房能力の浴室暖房機１を製造する場合は、上記ファン支持部１４０ａ，１４０ｂに小暖房能力に対応したクロスフローファン３およびスペーサ５を組み込み、大暖房能力の浴室暖房機１Ａを製造する場合は、上記ファン支持部１４０ａ，１４０ｂに大暖房能力に対応したクロスフローファン３Ａを組み込むことによって、暖房能力の異なる浴室暖房機１，１Ａの製造が可能である。
【００３３】
この場合、ケーシング１０や熱交換器２等、浴室暖房機１，１Ａを構成するクロスフローファン以外の主要部品を共通化できる。従って、暖房能力の異なる浴室暖房機１，１Ａを製造する際の製造工程数が短縮され、生産面での負担が軽減されるとともに、構成部品の種類が少なくなってそれら構成部品を管理する面での負担が軽減される等、様々な面での効率が改善される。
【００３４】
一方、暖房能力の異なる複数種類の空気調和機を製造する方法として、ファンモータの回転数を大暖房能力の浴室暖房機におけるファンモータの設定回転数より低く設定することで風量を低減させ、小暖房能力の浴室暖房機を提供する方法も考えられるが、この小暖房能力の浴室暖房機では、ファンモータの回転数を低く設定するため、風量と同時に風速も低下する。
従って、クロスフローファンから送出された温風は、浴室の床面まで到達せず、浴室内全体を均一に暖められないという問題があった（図３（ａ）および（ｂ）に示す一点鎖線で囲まれた領域が上記大暖房能力に対応した浴室暖房機１Ａの温風到達領域Ｓ１を示し、破線で囲まれた領域が上記ファンモータの回転数を小暖房能力に対応させた場合の温風到達領域Ｓ２を示す）。
【００３５】
しかしながら、上記実施の形態では、上述のとおり、大暖房能力に対応したクロスフローファン３Ａより短幅のクロスフローファン３を組み込むことで風量を低減させ、小暖房能力の浴室暖房機１を提供している（図１および２参照）から、小暖房能力の浴室暖房機１と大暖房能力の浴室暖房機１Ａとの相互でファンモータ４の設定回転数を変える必要がない。
【００３６】
即ち、上記小暖房能力の浴室暖房機１は、大暖房能力の浴室暖房機１Ａと同じ風速を維持できる。従って、クロスフローファン３から送出された温風は、浴室内の床面まで到達し（図３（ａ）および（ｂ）に示す二点鎖線で囲まれた領域が上記小暖房能力に対応した浴室暖房機１の温風到達領域Ｓ３を示す）、浴室内全体を均一に暖めることができる。
【００３７】
［その他］
尚、上記スペーサ５は、遊間１３０の全体を覆うように塞いでいるが、クロスフローファン３から送出された空気が、そのまま遊間１３０下方からケーシング１０内へ逆流するのが防止できれば、遊間１３０の送風口１２側のみを覆うように塞ぐものであっても良い。
また、上記スペーサ５は、その一端側がファン支持部１４０ｂにねじ止め固定されているが、ファン支持部１４０ｂに対して容易に着脱可能な状態で連結されたものであっても良い。
【００３８】
上記スペーサ５のエンドカバー５１は、ベース部５２に対して摺動可能な状態で連結されているが、図４に示すように、ベース部５２と一体的に形成されたものであっても良い。
また、上記スペーサ５は、その熱交換器２側に側壁１４の熱交換器２近傍からクロスフローファン３方向へ傾斜する傾斜部５３を設けたものであっても良い（図４参照）。
このものでは、熱交換器２からクロスフローファン３へスムーズに空気が流れるから、クロスフローファン３から送出される風速や風量が一層安定する。
【００３９】
また、浴室内の空気が一層効率良く循環されるから、暖房効率も向上するし、風切り音や各パーツ類の振動音等の騒音も抑制されて、浴室暖房機１全体の運転音も低減できる。
さらに、スペーサ５の送風口１２側には、遊間１３０側の側壁１４から導風板５１４までの範囲の送風口１２を覆うカバー部５４を設けても良い（図４参照）。
このものでは、導風板１３周辺の空気の流れが安定するから、クロスフローファン３から送出される風速および風量を一層安定させることが可能である。
【００４０】
一方、上記実施の形態において、スペーサ５は、一端側がファン支持部１４０ｂに固定され、他端側がクロスフローファン３の軸部３２ｂを支持した状態で遊間１３０を塞ぐものであるが、図５に示すように、一端側が、比較的小さい浴室に適した小暖房能力のクロスフローファン３Ｂの端板３１５，３１５に固定状態で連結され、他端側の軸部３２５，３２５がファン支持部１４０ａ，１４０ｂに対して回動自在な状態で支持される円筒状のスペーサ５Ｂ，５Ｂであっても良い。
【００４１】
このものでは、上記実施の形態と同様、クロスフローファン３Ｂの端板３１５，３１５とファン支持部１４０ａ，１４０ｂとの間に形成される遊間１３０，１３０が上記スペーサ５Ｂ，５Ｂで塞がれているから、遊間１３０，１３０での逆流や乱流が抑制される。
【００４２】
これにより、クロスフローファン３Ｂの幅Ｗ３の範囲内における風速が安定するし、クロスフローファン３Ｂから送出される風量も安定する。
また、浴室内の空気が効率良く循環されるから、暖房効率も向上するし、風切り音や各パーツ類の振動音等の騒音も抑制されて、浴室暖房機１Ｂ全体の運転音も低減できる。
【００４３】
さらに、上記クロスフローファン３Ｂは、その一端側の端板３１５に固定されたスペーサ５Ｂの軸部３２５が、ファン支持部１４０ａに固定されるファンモータ４に連結され、他端側の端板３１５に固定されたスペーサ５Ｂの軸部３２５が、ファン支持部１４０ｂに組み込まれる軸受３５に対してその根元近傍で支持されている。従って、軸部３２５，３２５のたわみが比較的小さく、回転時のクロスフローファン３Ｂの振動が抑制される。
これにより、クロスフローファン３Ｂの回転が安定し、浴室暖房機１Ｂ全体の異常な振動も発生しにくい。
【００４４】
尚、上記浴室暖房機１Ｂにおいても、上記実施の形態と同様、小暖房能力の浴室暖房機１Ｂを製造する場合は、両端にスペーサ５Ｂ，５Ｂを設けた小暖房能力に対応したクロスフローファン３Ｂをファン支持部１４０ａ，１４０ｂに組み込み、大暖房能力の浴室暖房機１Ａ（図２参照）を製造する場合は、ファン支持部１４０ａ，１４０ｂに大暖房能力に対応したクロスフローファン３Ａを組み込むことによって、暖房能力の異なる浴室暖房機１Ｂ，１Ａの製造が可能である。
【図面の簡単な説明】
【００４５】
【図１】本発明の実施の形態に係る空気調和機として例示する浴室暖房機１の概略構成図
【図２】本発明の実施の形態に係る空気調和機として例示する浴室暖房機１のクロスフローファン３およびスペーサ５に代えて、大暖房能力に対応したクロスフローファン３Ａを組み込んだ浴室暖房機１Ａの概略構成図
【図３】大暖房能力の浴室暖房機１Ａ、ファンモータ４の回転数を低く設定した浴室暖房機１Ａ、本発明の実施の形態に係る浴室空気調和機として例示する浴室暖房機１のそれぞれの温風到達領域Ｓ１，Ｓ２，Ｓ３を示す説明図
【図４】本発明の実施の形態に係る空気調和機として例示する浴室暖房機１のスペーサ５の変形例を示す説明図
【図５】本発明の他の実施形態に係る空気調和機として例示する浴室暖房機１Ｂの概略構成図
【図６】従来の空気調和機として例示する浴室暖房機６の概略構成図
【符号の説明】
【００４６】
１・・・空気調和機
１０・・・ケーシング
１１・・・吸気口
１２・・・送風口
１３・・・通気路
１３０・・・遊間
１４，１４・・・側壁
２・・・熱交換器
３・・・クロスフローファン
３１ａ，３１ｂ・・・端板
４・・・ファンモータ
５・・・スペーサ
【図１】
0004504288.tif 000002
【図２】
0004504288.tif 000003
【図３】
0004504288.tif 000004
【図４】
0004504288.tif 000005
【図５】
0004504288.tif 000006
【図６】
0004504288.tif 000007